(57)【要約】      （修正有）【課題】物置等において引き戸用錠の取り換えを行うことなく建物内部からの解錠が可能で、簡易、かつ、安価な構成にした引き戸用錠装置を提供する。【解決手段】建物の引き戸１２に取り付けられ、施錠のための係止部７を備える錠本体２と、建物の戸当たり部２２に取り付けられ、係止部７が係止される被係止部を備える受け座３とからなる引き戸用錠装置において、受け座３の被係止部が変位可能に設けられるとともに、変位のための操作部２２が建物の内部側に設けられ、被係止部が操作部２２により変位されることで係止部７の係止が外れて解錠可能とした。【選択図】図９
2014237997.tif 000002
【特許請求の範囲】
【請求項１】
建物の引き戸に取り付けられ、施錠のための係止部を備える錠本体と、
前記建物の戸当たり部に取り付けられ、前記係止部が係止される被係止部を備える受け座と、
からなる引き戸用錠装置において、
前記受け座の前記被係止部が変位可能に設けられるとともに、前記変位のための操作部が前記建物の内部側に設けられ、
前記被係止部が前記操作部により変位されることで、前記係止部の係止が外れて解錠されることを特徴とする引き戸用錠装置。
【請求項２】
前記建物が物置である請求項１記載の引き戸用錠装置。
【発明の詳細な説明】
【技術分野】
【０００１】  この発明は、物置等において使用される引き戸用錠装置に関する。
【背景技術】
【０００２】  物置内で作業をしている際に外部から引き戸が閉じられ錠が締められると、作業者は内部に閉じ込められてしまうこととなる。この問題を解決するべく、最近では内部からの解錠が行える引き戸用錠が提供されている。
【発明の概要】
【発明が解決しようとする課題】
【０００３】  しかしながら、現在提供されている引き戸用錠はそのものに内部からの解錠機構を備える故に構成が複雑となり、組み立てに手間がかかるとともに、コストが高くなった。また、現状使用している物置において引き戸錠を内部からの解錠が行えるものに取り換える場合は、その取り換えに手間がかかり、費用が高くなる問題があった。【０００４】  この発明は上記の点に鑑みて行ったもので、簡易、かつ、安価な構成である、建物内部からの解錠が行える引き戸用錠装置を提供することを目的とする。また、物置等において、引き戸用錠の取り換えを行うことなく内部からの解錠ができるようにすることを目的とする。
【課題を解決するための手段】
【０００５】  この発明では、建物の引き戸に取り付けられ、施錠のための係止部を備える錠本体と、前記建物の戸当たり部に取り付けられ、前記係止部が係止される被係止部を備える受け座とからなる引き戸用錠装置において、前記受け座の前記被係止部が変位可能に設けられるとともに、前記変位のための操作部が前記建物の内部側に設けられ、前記被係止部が前記操作部により変位されることで前記係止部の係止が外れて解錠可能とされることを特徴とする引き戸用錠装置を提供する。【０００６】  上記構成によれば、建物内部において操作部を操作して受け座の被係止部を変位することで、錠本体の係止部が外れて解錠される。これにより建物内部での操作による開錠が可能となる。【０００７】  錠本体と受け座とは、受け座の被係止部が操作部により変位されて錠本体の係止部への係止が外れて解錠可能とされる構成であれば、適宜の形態であってよい。【０００８】  建物が物置である場合には、物置内部での操作により開錠が可能となり、これにより、外部から施錠されて物置内に閉じ込められた場合の脱出が可能となる。
【発明の効果】
【０００９】  この発明によれば、簡易、かつ、安価な構成であって、建物内部からの解錠が行える引き戸用錠装置が得られるとともに、物置等において、引き戸の錠本体をそのままとして受け座のみを取り換えることで、内部からの解錠可能構成が得られる。
【図面の簡単な説明】
【００１０】
【図１】  この発明の引き戸用錠装置の第１の実施形態の分解斜視図
【図２】  この発明の引き戸用錠装置の第１の実施形態の受け座のカバー体の内面側斜視図
【図３】  この発明の引き戸用錠装置の第１の実施形態の物置の外観斜視図
【図４】  この発明の引き戸用錠装置の第１の実施形態の物置の内部側部分斜視図
【図５】  この発明の引き戸用錠装置の第１の実施形態の施錠時使用状態図
【図６】  この発明の引き戸用錠装置の第１の実施形態の施錠時使用状態図
【図７】  この発明の引き戸用錠装置の第１の実施形態の解錠時使用状態図
【図８】  この発明の引き戸用錠装置の第１の実施形態の解錠時使用状態図
【図９】  この発明の引き戸用錠装置の第１の実施形態の施錠動作説明図
【図１０】  この発明の引き戸用錠装置の第１の実施形態の非常解錠時使用状態図
【図１１】  この発明の引き戸用錠装置の第１の実施形態の非常解錠時使用状態図
【図１２】  この発明の引き戸用錠装置の第１の実施形態の異なる受け座の分解斜視図
【図１３】  この発明の引き戸用錠装置の第１の実施形態のさらに異なる受け座の分解斜視図
【図１４】  この発明の引き戸用錠装置の第２の実施形態の平面構成図
【図１５】  この発明の引き戸用錠装置の第２の実施形態の側面構成図
【図１６】  この発明の引き戸用錠装置の第２の実施形態の動作説明図
【図１７】  この発明の引き戸用錠装置の第２の実施形態の動作説明図
【図１８】  この発明の引き戸用錠装置の第３の実施形態の平面構成図
【図１９】  この発明の引き戸用錠装置の第３の実施形態の平面構成図
【図２０】  この発明の引き戸用錠装置の第４の実施形態の平面構成図
【図２１】  この発明の引き戸用錠装置の第４の実施形態の平面構成図
【図２２】  この発明の引き戸用錠装置の第４の実施形態で用いる部品図
【図２３】  この発明の引き戸用錠装置の第４の実施形態の動作説明図
【図２４】  この発明の引き戸用錠装置の第４の実施形態の動作説明図
【図２５】  この発明の引き戸用錠装置の第４の実施形態の異なる受け座における動作説明図
【図２６】  この発明の引き戸用錠装置の第４の実施形態の異なる受け座における動作説明図
【発明を実施するための形態】
【００１１】  図１はこの発明の引き戸用錠装置の第１の実施形態の分解斜視図である。
【００１２】  引き戸用錠装置１は錠本体２と受け座３とからなる。錠本体２はその前面に鍵穴５を備え、背面に先端が鎌状となった係止部７を備える係止アーム８が回動可能に取り付けられ、鍵穴５から差し入れられた鍵の操作により係止アーム部８が回動するようになっている。
【００１３】  受け座３は金属製で、カバー体１４とスライドプレート１６とからなる。カバー体１４は、スライドプレート１６の収納部１７とその周囲の取り付け面部１８とからなり、収納部１７の奥面には縦長の開口１９が形成され、取り付け面部１８の一部には、図２に示すように、切欠き部２０が形成されている。スライドプレート１６は縦長の開口２１が形成されるとともに側方に突出する操作レバー２６を備え、さらに、開口２１の下部には弾力係止部２４が設けられている。操作レバー２６の内側面には、蓄光塗料により矢印２９（図５参照）が塗布形成されている。弾力係止部２４は、周囲が切り込まれた部分の途中部が折り曲げられて形成され、スライドプレート１６が金属製であることで弾力性を備えている。
【００１４】  以下、引き戸用錠装置１の取り付け構造を説明する。錠本体２は、図３、図４に示すように、物置（建物）１０の引き戸１２の側部近傍に嵌め込み状態に取り付けられる。
【００１５】  図５、図６、図７、図８に示すように、受け座３は引き戸１２の戸枠２３内に取り付けられる。戸枠２３の戸当たり面部２２には縦長の開口２５が設けられ、その開口２５を逆側から覆うように、かつ、収納部１７内にスライドプレート１６を収納する状態において、カバー体１４が取り付けられる。カバー体１４の取り付けは、取り付け面部１８が戸当たり面部２２に溶接固定されて行われる。その取り付け状態において、スライドプレート１６は戸当たり面部２２とカバー体１４間に上下にスライド移動可能に位置する。その際、スライドプレート１６は、弾力係止部２４の途中部が弾力的に収納部１７の内面に当接することで、適宜のスライド位置に停止保持されるようになっている。また、操作レバー２６はカバー体１４の切欠き部２０から外部に突出して位置する。
【００１６】  以下、引き戸用錠装置１の施錠、解錠の動作説明を行う。施錠時においては、図５、図６に示すように、錠本体１の係止アーム８の係止部７は戸当たり面部２２の開口２５、スライドプレート１６の開口２１、カバー体１４の開口１９のそれぞれに入り込み、かつ、係止部７が、図７に示すように、スライドプレート１６の開口２１の下縁部（被係止部）２８に係止する状態となっている。このように、錠本体２の係止アーム８が受け座３側に係止することで引き戸１２は開くことができない。
【００１７】  解錠に際しては、上記施錠状態において、錠本体２において鍵操作することで係止アーム部８が上方に回動されて、図８、図９に示すように、開口２５、開口２１、開口１９のそれぞれから外され、係止部７のスライドプレート１６の開口２１の下縁部２８への係止が解除される。これにより、錠本体２の係止アーム８が受け座３側から外れ引き戸１２が開かれる。
【００１８】  非常時解錠に際しては、図１０、図１１に示すように、操作レバー２６を押し下げることでスライドプレート１６が、図７において点線で示すように、下方に変位され、係止部７のスライドプレート１６の開口２１の下縁部２８への係止が解除される。これにより、錠本体２の係止アーム８が受け座３側から離脱できて引き戸１２が開かれる。
【００１９】  図３、図４に示すように、物置１０の戸枠２３に隣接する側壁３０の内面には非常脱出表示プレート３１が取り付けられている。この非常脱出表示プレート３１は蓄光成分を含有する樹脂プレートよりなり、その表面に脱出案内表示３３が記載されている。非常脱出表示プレート３１は引き戸１２が開かれて外光が照射されることで蓄光してその全体が発光し、その発光状態においてその表面の脱出案内表示３３が暗環境において視認できるようになっている。また、操作レバー２６に付された蓄光塗料よりなる矢印２９も、同様に暗環境において視認できるようになっている。
【００２０】  上記のように、物置１０内に非常脱出表示プレート３１が設けられていることで、物置１０内における作業中に誤って外部から施錠されて内部に閉じ込められた場合、暗闇の中で全体が発光する非常脱出表示プレート３１の脱出案内表示３３を見ることができる。これにより、その脱出案内表示３３の内容に沿ってその近傍にあって矢印２９によってその位置が確認できる操作レバー２６を押し下げることで、上記の非常時解錠が行えて物置１０内からの脱出が行われる。
【００２１】  図１２は受け座の異なる実施形態を示す。受け座１００はカバー体１０４とスライドプレート１０６と円形のマグネットプレート１０７とからなり、スライドプレート１０６はマグネットプレート１０７の装着穴１０８を備える。受け座１００は上記実施形態ものと同様に戸当たり面部に取り付けられ、その取り付け状態において、戸当たり面部とカバー体１０４間に上下にスライド移動可能にスライドプレート１０６が位置する。装着穴１０８内に装着されたマグネットプレート１０７が戸当たり面部の適宜の位置に吸着されることで、スライドプレート１０６は適宜のスライド位置に保持されるようになっている。
【００２２】  図１３は受け座のさらに異なる実施形態を示す。受け座２００はカバー体２０４とスライドプレート２０６とからなる。スライドプレート２０６は縦長の開口２０７の下部の側位置に係止段部２０５を備えている。カバー体２０４は上記実施形態のものと同様に戸枠の戸当たり面部に取り付けられ、その状態においてスライドプレート２０６は側方にスライド移動可能となっている。施錠時においては錠本体２０１の係止アーム２０８の係止部２０９が係止段部２０５に係止される状態となり、錠本体２０１で鍵操作されて係止アーム２０８が上方に回動されることで係止部２０９が係止段部２０５から離脱可能となって解錠されるようになっている。
【００２３】  非常脱出に際しては、操作レバー２２６を持ってスライドプレート２０６を手前側に引く。これにより、係止部２０９が係止段部２０５から外れる位置となり、錠本体２０１の係止アーム部２０８が受け座２００側から離脱できて引き戸が開かれる。
【００２４】  図１４から図１７は引き戸用錠装置の第２の実施形態を示す。図１４、図１５、図１６は施錠状態を示し、錠本体３００の係止アーム３０１の係止部３０２が、受け座３０５のカバー体３０７内に回動可能に設けられている係止プレート３０８の被係止部３０９に係止される位置にある。錠本体３００で鍵操作され係止アーム３０１が上方に回動されて係止部３０２が被係止部３０９から外れる位置とされることで解錠が行われる。
【００２５】  非常脱出に際しては、操作レバー３１０を持って係止プレート３０８を押し上げ回転させる。これにより、係止部３０２が被係止部３０９から外れる位置となり、錠本体３００の係止アーム３０１が受け座３０５側から離脱できて引き戸３２０が開かれる。
【００２６】  図１８、図１９は引き戸用錠装置のさらに異なる他の実施形態を示す。この実施形態においては、受け座４０５にコイルバネよりなる係止金具４０６が用いられている。図１８は施錠状態を示し、錠本体４００の係止アーム４０１の係止部４０２が係止金具４０６の被係止部４０９に上方から係止しており、その被係止部４０９は差し込みピン４０８によりバネ力に抗して所定位置に配置されている。錠本体４００で鍵操作され係止アーム４０１が上方に回動されて係止部４０２が被係止部４０９から外れることで解錠が行われる。
【００２７】  非常脱出に際しては、図１９に示すように、物置内部において差し込みピン４０８を抜く。これにより、被係止部４０９がバネ力により復帰し、これにより係止部４０２が被係止部４０９から外れ、錠本体４００の係止アーム４０１が受け座４０５側から離脱できて引き戸４１０が開かれる。
【００２８】  図２０から図２４は引き戸用錠装置のさらに異なる他の実施形態を示す。この実施形態においては、錠本体５０１は円柱状の係止ロッド５０２を背部に備え、その係止ロッド５０２内に、図２２に示す、作動プレート５０４が設けられている。作動プレート５０４はその基部にカム穴５０６を備え、そのカム穴５０６内に鍵操作に回転連動するシリンダー５０７の背面に突出形成されたピン５０８が嵌り込んでおり、鍵操作に伴いシリンダー５０７に回転連動することで作動プレート５０４は係止ロッド５０２内を矢印方向に移動変位するようになっている。係止ロッド５０２の先端近傍の直径方向に上下に連通して形成された装着穴５１０内にはその両端位置にロックボール５１１のそれぞれが移動可能、かつ、外部に離脱することがないように装着されている。ロックボール５１１のそれぞれは施錠位置においては作動プレート５０４の端部の両側で押されることで係止ロッド５０２周面から突出して位置する。
【００２９】  受け座５２０は円形で中央に上記係止ロッド５０２の挿通孔５２１を備え、施錠時には、係止ロッド５０２のロックボール５１１が装着された部分が挿通孔５２１ら突出され、かつ、ロックボール５１１のそれぞれが上記のように係止ロッド５０２周面から突出して位置することで、係止ロッド５０２の先端側が受け座５２０の挿通孔５２１から抜けないようになっている。その施錠状態において鍵操作により作動プレート５０４が移動され装着穴５１０内でロックボール５１１のそれぞれが自由状態となり係止ロッド５０２周面から突出しないことで、係止ロッド５０２の先端側が受け座５２０の挿通孔５２１から抜くことが可能な解錠状態となる。
【００３０】  非常脱出に際しては、物置内部において、受け座５２０に一体の操作アーム５３０を上方に持ち上げる。これにより、受け座５２０が回転してその挿通孔５２１の内面の相対する位置に設けられた凹溝５３２それぞれがロックボール５１１それぞれの位置に移動する。ロックボール５１１それぞれがその凹溝５３２それぞれを通ることで、係止ロッド５０２の先端側が受け座５２０の挿通孔５２１から抜くことが可能となり、錠本体５０１の係止ロッド５０２が受け座５２０側から離脱できて引き戸が開かれる。
【００３１】  図２５、図２６は上記実施形態の受け座の他の実施形態を示す。このものでは、受け座６２０は上記実施形態のものの受け座５２０が分割された形態の分割体６２１、６２２よりなる。分割体６２１、６２２のそれぞれはその一方側それぞれにアーム６３３それぞれが連結固定されている。アーム６３３のそれぞれはその途中部において互いが軸支され、両端部間にコイルバネ６３５が装着されている。
【００３２】  上記構成において、施錠時には係止ロッド６０２周面から突出するロックボール６１０が係止することで係止ロッド６０２の先端側が分割体６２１、６２２間から抜けないようになっている。その施錠状態において、上記実施形態のものと同様に鍵操作によりロックボール６１０が係止ロッド６０２周面から突出しないようにされることで、係止ロッド６０２が分割体６２１、６２２間から抜くことが可能な解錠状態となる。
【００３３】  非常脱出に際しては、物置内部において、アーム６３３の端部どうしをコイルバネ６３５のバネ力に抗して近接させ、分割体６２１、６２２間を開く。これにより、係止ロッド６０２が分割体６２１、６２２間から引き抜くことが可能となり、引き戸が開かれる。
【符号の説明】
【００３４】１    引き戸用錠装置
２    錠本体
３    受け座
７    係止部
１０  建物（物置）
１２  引き戸
２２  操作部
２８  下縁部（被係止部）
【図１】
2014237997.tif 000003
【図２】
2014237997.tif 000004
【図３】
2014237997.tif 000005
【図４】
2014237997.tif 000006
【図５】
2014237997.tif 000007
【図６】
2014237997.tif 000008
【図７】
2014237997.tif 000009
【図８】
2014237997.tif 000010
【図９】
2014237997.tif 000011
【図１０】
2014237997.tif 000012
【図１１】
2014237997.tif 000013
【図１２】
2014237997.tif 000014
【図１３】
2014237997.tif 000015
【図１４】
2014237997.tif 000016
【図１５】
2014237997.tif 000017
【図１６】
2014237997.tif 000018
【図１７】
2014237997.tif 000019
【図１８】
2014237997.tif 000020
【図１９】
2014237997.tif 000021
【図２０】
2014237997.tif 000022
【図２１】
2014237997.tif 000023
【図２２】
2014237997.tif 000024
【図２３】
2014237997.tif 000025
【図２４】
2014237997.tif 000026
【図２５】
2014237997.tif 000027
【図２６】
2014237997.tif 000028